(57)【要約】【課題】土壌を熱風又は水蒸気で処理して、殺菌、殺虫或いは雑草の種子を死滅させるための改良された土壌消毒装置を提案する。【解決手段】土壌（Ａ）に熱風又は水蒸気（Ｈ）を吹付けて、殺菌、殺虫及び雑草の種子を死滅させるための土壌消毒装置（１）であって、スパイラル羽根（１２１）の長手方向に支持バー（１２２）を差渡し固定してなるスクリュー（１２）を、円筒状のドラム本体（１１）に着脱自在に内設した構成であることを特徴とする土壌消毒装置（１）。【選択図】　　　　　図１
2004033039.tif 000002
【特許請求の範囲】
【請求項１】
土壌に熱風又は水蒸気を吹付けて、殺菌、殺虫及び雑草の種子を死滅させるための土壌消毒装置であって、スパイラル羽根の長手方向に支持バーを差渡し固定してなるスクリューを、円筒状のドラム本体に着脱自在に内設した構成であることを特徴とする土壌消毒装置。
【請求項２】
ドラム本体に着脱自在に内設されるスクリューの外径は、前記ドラム本体の内径と略同一に設定すると共に、前記スクリューの長さは、前記ドラム本体の長さと略同一に設定してなることを特徴とする請求項１に記載の土壌消毒装置。
【請求項３】
スクリューのスパイラル羽根を支持する支持バーの両端部には、前記スクリューをドラム本体内に着脱自在に締結するための締着孔が形成されていることを特徴とする請求項１又は請求項２に記載の土壌消毒装置。
【発明の詳細な説明】
【０００１】
【発明の属する技術分野】
本発明は土壌消毒装置に係り、特に、土壌を熱風又は水蒸気で処理して、殺菌、殺虫或いは雑草の種子を死滅させるための改良された土壌消毒装置に関する。
【０００２】
【従来の技術】
従来、土壌の加熱処理に用いていた土壌消毒装置では、回転駆動されるドラム本体の入口側から連続的に土壌を送り込み、そして、このドラム本体内に送り込まれた土壌は、ドラム本体の内壁に溶接により取付けられているスパイラル羽根の回転により、ドラム本体内を撹拌されつつ移送され、その撹拌、移送途中で、ドラム本体の出口側から吹込まれる熱風又は水蒸気により加熱処理を受けて、ドラム本体の出口から連続的に排出されるようになっている。即ち、従来の土壌消毒装置は、ドラム本体とスパイラル羽根とが溶接により一体となっているものが使用されていた。
【０００３】
【発明が解決しようとする課題】
上述の従来技術の如く、土壌消毒装置のドラム本体に、溶接手段を用いてスパイラル羽根を一体に取付けていたので、狭いドラム本体内でのスパイラル羽根の取付け作業には過重労働が強いられ、且つ、高度な溶接技術が要求されるものであった。また、ドラム本体内で処理される土壌との接触や吹込まれる熱風、水蒸気等により、スパイラル羽根が腐蝕したり激しく摩耗、損傷を起して、撹拌、移送能力が減衰してしまうので、その度に、新たにドラム本体ごと交換使用しなければならず、多大な設備維持費用が必要であるという問題があった。
【０００４】
本発明は、かかる課題を解決すべく為され、その目的とするところは、狭いドラム本体内で溶接によるスパイラル羽根の取付け作業を無くし、予め、スパイラル羽根に支持バーを差渡し固定してスクリューを作製しておき、このスクリューをドラム本体内に着脱自在に組込めるようにして、ドラム本体ごと取替えることなく、摩耗、損傷を起したスクリューのみを更新できるように改善した土壌消毒装置を提供せんとするものである。
【０００５】
【課題を解決するための手段】
本発明は、上記課題を解決するためのものであって、その要旨とするところは、土壌に熱風又は水蒸気を吹付けて、殺菌、殺虫及び雑草の種子を死滅させるための土壌消毒装置であって、スパイラル羽根の長手方向に支持バーを差渡し固定してなるスクリューを、円筒状のドラム本体に着脱自在に内設した構成であることを特徴とする土壌消毒装置である。
【０００６】
【発明の実施の形態】
以下、本発明の好適な実施形態について図面に基づき具体的に説明する。
図１は本発明の土壌消毒装置を示す透視正面図及び透視側面図であり、図２は本発明で用いるスクリュー羽根を示す側面図及び正面図であり、図３は本発明の使用状態を示す説明図である。
【０００７】
本発明は、図示したように、土壌Ａに熱風又は水蒸気Ｈを吹付けて、殺菌、殺虫及び雑草の種子を死滅させるための土壌消毒装置１であって、スパイラル羽根１２１の長手方向に支持バー１２２を差渡し固定してなるスクリュー１２を、円筒状のドラム本体１１に着脱自在に内設した構成であることを特徴とするものである。
上記構成とすることにより、狭いドラム本体１１内で、ドラム本体１１の内壁面にスパイラル羽根１２１を溶接で取付けねばならないという過重労働から開放され、また、スパイラル羽根１２１に支持バー１２２を差渡し固定して予め作製しておいたスクリュー１２を、ボルト１１５止め等の締着手段により、ドラム本体１１内に簡単、且つ、着脱自在に組込めるようにしたので、ドラム本体１１ごと更新取替えの必要がなくなり、摩耗、損傷を起したスクリュー１２のみを更新することができるので、設備維持費用が削減されるという作用効果が得られるものである。
【０００８】
また、上記ドラム本体１１に着脱自在に内設されるスクリュー１２の外径Ｒ１は、上記ドラム本体１１の内径Ｒ２と略同一に設定すると共に、上記スクリュー１２の長さｌ１は、上記ドラム本体１１の長さｌ２と略同一に設定してなることを特徴とするものである。
上記構成とすることにより、ドラム本体１１内での土壌Ａの撹拌効率並びに移送効率が向上するという作用効果が得られる。
【０００９】
そして、上記スクリュー１２のスパイラル羽根１２１を支持する支持バー１２２の両端部には、上記スクリュー１２をドラム本体１１内に着脱自在に締結するための締着孔１２３が形成されていることを特徴とするものである。
上記構成とすることにより、スクリュー１２をドラム本体１１内に組込む際、取付けに手間が掛らず、作業効率が一層向上するという作用効果が得られる。
【００１０】
【実施例】
本発明の土壌消毒装置１の要部であるスクリュー１２は、図１に破線で示すように、ドラム本体１１内に着脱自在に取付けられる。即ち、上記スクリュー１２は、両端部に締着孔１２３を形成した支持バー１２２を、スパイラル羽根１２１の長手方向に差渡し固定して形成され、上記締着孔１２３は、ドラム本体１１の両端部でボルト１１５により締着するようになっている。そして、図１、図２に示すように、スクリュー１２の外径Ｒ１は、ドラム本体１１の内径Ｒ２と略同一に設定され、また、スクリュー１２の長さｌ１は、ドラム本体１１の長さｌ２と略同一に設定される。
【００１１】
そして、上記スクリュー１２が取付けられたドラム本体１１は、ドラム支持架台１３上に回転自在に支持される。即ち、ドラム本体１１は、ギアーモーター１４に連結した駆動チェーン１４１を介し、ドラム本体１１の外周面に形設したスプロケット１１３に歯合させて、ギアーモーター１４の駆動により回転するようになっている。また、上記ドラム支持架台１３の幅方向の両側に、ローラー軸受１３２で支持されたローラー１３１を各々二ヶ所、計四ヶ所配設し、その内、前側の二ヶ所のローラー１３１が、上記ドラム本体１１の外周面に形成したローラーガイド１１４に挟まれ規制されて、回転するドラム本体１１のずれ、逸脱が防止されるようになっている。
【００１２】
また、上記ドラム本体１１の入口側（図１右側の側面図において左側）には、土壌を投入するホッパー１６を配設すると共に、出口側（図１右側の側面図において右側）には、ドラム本体１１内に熱風や水蒸気Ｈを吹込むための石油バーナー又は水蒸気発生機１５が配設される。
【００１３】
本発明の土壌消毒装置１を用いた土壌Ａの処理方法につき、以下に説明する。即ち、図３に示すように、土壌消毒装置１のホッパー１６より投入された土壌Ａは、ｚ方向に回転するドラム本体１１内を、スクリュー１２のスパイラル羽根１２１により撹拌されつつｘ方向へ移動する間に、ドラム本体１１の排出口１１２側から、噴射ノズル１５１を通してｙ方向に吹込まれる熱風や水蒸気Ｈにより加熱処理されると共に、土壌Ａが徐々にその粒径を増して団粒化されつつ、ドラム本体１１尻の排出口より排出されるものである。
【００１４】
上述の如く、本発明により効率的に撹拌されつつ加熱処理された土壌Ａは、殺菌、殺虫と共に雑草の種子も死滅し、しかも、土壌Ａが粒径を増して団粒化されるので、水捌け並びに通気性に優れたものとなり、作物の成育に適合した土壌が得られる。
【００１５】
本発明により、狭いドラム本体内でスパイラル羽根を溶接手段により取付けるという過重労働から開放され、予め、スパイラル羽根に支持バーを差渡し固定して作製したスクリューを、ドラム本体内に着脱自在に組込めるようにしたので、従来の如くドラム本体ごと取替えることなく、摩耗、損傷を起したスクリューのみを更新することができ、設備維持費用の削減効果が得られるものである。
【図面の簡単な説明】
【図１】本発明の土壌消毒装置を示す透視正面図及び透視側面図である。
【図２】本発明で用いるスクリュー羽根を示す側面図及び正面図である。
【図３】本発明の使用状態を示す説明図である。
【符号の説明】
１　　　　土壌消毒装置
１１　　　ドラム本体
１１１　　吹込口
１１２　　排出口
１１３　　スプロケット
１１４　　ローラーガイド
１１５　　ボルト
１２　　　スクリュー
１２１　　スパイラル羽根
１２２　　支持バー
１２３　　締着孔
１３　　　ドラム支持架台
１３１　　ローラー
１３２　　ローラー軸受部
１４　　　ギアーモーター
１４１　　駆動チェーン
１５　　　石油バーナー又は水蒸気発生機
１５１　　噴射ノズル
１６　　　ホッパー
Ａ　　　　土壌
Ｈ　　　　熱風又は水蒸気
【図１】
2004033039.tif 000003
【図２】
2004033039.tif 000004
【図３】
2004033039.tif 000005